(57)【要約】      （修正有）【課題】乳歯を歯茎上の位置に基づいて保管して、記念とすることのできるとともに、関連する情報を表示でき、また関連する情報を保管できる乳歯保管装置を提供する。【解決手段】後端に設けた柔軟性を有する連結板１４を介して開閉自在に連結した上歯茎模型２０及び下歯茎模型３０と、筐本体１１と蓋体１３とを具え、上歯茎模型２０及び下歯茎模型３０とを内部に設置する筐体１０と、によってなり、上歯茎模型２０と下歯茎模型３０に複数の植設孔３１を形成し、それぞれの植設孔３１の位置に対応する人造乳歯８０、８１を植設孔３１に植設してなる。【選択図】図４
0003199927.tif 000002
【実用新案登録請求の範囲】
【請求項１】
後端に設けた柔軟性を有する連結板を介して開閉自在に連結した上歯茎模型及び下歯茎模型と、
筐本体と蓋体とを具え、該上歯茎模型及び下歯茎模型とを内部に設置する筐体と、によってなり、
該上歯茎模型と該下歯茎模型に複数の植設孔を形成し、それぞれの該植設孔の位置に対応する人造乳歯を該植設孔に植設してなることを特徴とする乳歯保管装置。
【請求項２】
前記筐本体内に仕切り板を一体に形成して、物品を収納する収納空間を形成することを特徴とする請求項１に記載の乳歯保管装置。
【請求項３】
前記植設孔に接着剤を充填して該人造乳歯を植設し、かつ植設した該人造乳歯を抜いて取り換えて保管する乳歯を該植設孔に植設して接着剤で接着することを特徴とする請求項１に記載の乳歯保管装置。
【請求項４】
前記筐体は、該筐本体と該蓋体とが背面側で開閉自在に連結して、開閉蓋を具える筐体を構成し、かつ該筐本体内に該下歯茎模型を設置することを特徴とする請求項１に記載の乳歯保管装置。
【請求項５】
前記上歯茎模型と該下歯茎模型とがＰＵによってなることを特徴とする請求項１に記載の乳歯保管装置。
【請求項６】
前記上歯茎模型と該下歯茎模型とがプラスチックによってなることを特徴とする請求項１に記載の乳歯保管装置。
【請求項７】
前記上歯茎模型と該下歯茎模型とがシリカゲルによってなることを特徴とする請求項１に記載の乳歯保管装置。
【請求項８】
前記筐体が硬質のプラスチック材によってなり、かつ光透過性を具えることを特徴とする請求項４に記載の乳歯保管装置。
【請求項９】
前記筐体が硬質のプラスチック材によってなり、かつ非透過性であることを特徴とする請求項４に記載の乳歯保管装置。
【請求項１０】
前記収納空間に収納する物品がソフトワックスによってなる接着剤であることを特徴とする請求項２に記載の乳歯保管装置。
【請求項１１】
前記収納空間に収納する物品がホットメルトによってなる接着剤であることを特徴とする請求項２に記載の乳歯保管装置。
【請求項１２】
前記筐体の該蓋体の上面に、磁石を設けた透明板を設けるとともに、該蓋体には該透明板の該磁石に対応する位置に磁石を設け、該蓋体の上面と該透明板との間に識別データを挟んで磁力で吸引して該透明板を固定することを特徴とする請求項１に記載の乳歯保管装置。
【請求項１３】
前記筐本体内には、該下歯茎模型を設置して位置決めするために、凹溝状で、かつ該下歯茎模型の底面に沿った形状であって、該下歯茎模型の底面に比してやや面積の広い設置溝を形成して該下歯茎模型の底端部分を該設置溝１８に嵌設することを特徴とする請求項４に記載の乳歯保管装置。
【請求項１４】
前記収納空間が引き出し配設する空間であることを特徴とする請求項２に記載の乳歯保管装置。
【請求項１５】
前記蓋体と該筐本体の正面側の一端には、上下対応する位置に、互いに吸引する磁石をそれぞれ埋設し、該蓋体が筐本体上に、該磁力の吸引によって止まるようにすることを特徴とする請求項４に記載の乳歯保管装置。
【考案の詳細な説明】
【技術分野】
【０００１】
この考案は、子供の抜けた乳歯を保管する乳歯保管装置に関する。
【背景技術】
【０００２】
人が生まれてから初めて生える歯は、短い間使用するだけの乳歯である。このため何人も成人の歯に生えかわる自然期を迎える。この期間、徐々に食物の粗食、呑みこみを覚え、また徐々に言葉を覚え父母を呼ぶようになる。乳歯の存在は人を小学低学年への啓蒙の段階に導く。このため、抜け替わる１本１本の乳歯は、父母にとって愛する子女が幼児期を離れて成長する証しであり、育児の苦労が慰められるものである。よって、しっかり保管して記念品とするに値する。
【０００３】
しかしながら、市販される乳幼児の用品には、乳歯の採集に関して、乳歯の歯茎における位置に基づいて収納するものはない。しかも、親が子供の乳歯を保管しようと思っても、往々にして引き出しの角に置くか、せいぜい何らかの箱を容易して入れておく程度ある。そして、時折思い出しては整理する。だが、時間が経つと、どこにしまっておいたか分からなくなる。次の乳歯が生えかわり、その次の乳歯が生えかわるときには、それまで保管しておいたはずの抜けた乳歯がどこにしまってあるのかわからなくなり、乳歯がちらばって収集されることになる、
【０００４】
また、仮に大きさも様式もほぼ同様の幾つかの箱を見つけてきて乳歯を収納したとしても、それらの箱は乳歯の収集のために特にデザインされたものではない。このため、箱の中に任意に収納しておくだけのものになってしまい、どの乳歯が前歯で、どの歯が後ろに位置するのか、本来の位置が分からなくなり、これを突き止めるには、大人が自身の歯の形状、位置などを考えて判断するしかない、結局、乳歯の収集用として不適格で、美観が感じられない、また収集する乳歯の歯茎における位置も判断しにくい。
【考案の概要】
【考案が解決しようとする課題】
【０００５】
この考案は、乳歯を歯茎上の位置に基づいて保管して、記念とすることのできる乳歯保管装置を提供することを課題とする。
【０００６】
また、この考案は、乳歯を保管するとともに、関連する情報を表示でき、また関連する情報を保管できる乳歯保管装置を提供することを課題とする。
【課題を解決するための手段】
【０００７】
そこで、本考案者は乳歯の保管に関して鋭意研究を重ねた結果、後端に設けた柔軟性を有する連結板を介して開閉自在に連結した上歯茎模型及び下歯茎模型と、筐本体と蓋体とを具え、該上歯茎模型及び下歯茎模型とを内部に設置する筐体と、によってなり、該上歯茎模型と該下歯茎模型に複数の植設孔を形成し、それぞれの該植設孔の位置に対応する人造乳歯を該植設孔に植設してなることを特徴とする乳歯保管装置によって課題を解決でできる点に着眼し、係る知見に基づいて本考案を完成させた。
【０００８】
以下この考案について説明する。請求項１に記載する乳歯保管装置は、後端に設けた柔軟性を有する連結板を介して開閉自在に連結した上歯茎模型及び下歯茎模型と、
筐本体と蓋体とを具え、該上歯茎模型及び下歯茎模型とを内部に設置する筐体と、によってなり、
該上歯茎模型と該下歯茎模型に複数の植設孔を形成し、それぞれの該植設孔の位置に対応する人造乳歯を該植設孔に植設してなる。
【０００９】
請求項２に記載する乳歯保管装置は、請求項１における筐本体内に仕切り板を一体に形成して、物品を収納する収納空間を形成する。
【００１０】
請求項３に記載する乳歯保管装置は、請求項１における植設孔に接着剤を充填して該人造乳歯を植設し、かつ植設した該人造乳歯を抜いて取り換えて保管する乳歯を該植設孔に植設して接着剤で接着する。
【００１１】
請求項４に記載する乳歯保管装置は、請求項１における筐体は、該筐本体と該蓋体とが背面側で開閉自在に連結して、開閉蓋を具える筐体を構成し、かつ該箱本体内に該下歯茎模型を設置する。
【００１２】
請求項５に記載する乳歯保管装置は、請求項１における上歯茎模型と該下歯茎模型とがＰＵによってなる。
【００１３】
請求項６に記載する乳歯保管装置は、請求項１における上歯茎模型と該下歯茎模型とがプラスチックによってなる。
【００１４】
請求項７に記載する乳歯保管装置は、請求項１における上歯茎模型と該下歯茎模型とがシリカゲルによってなる。
【００１５】
請求項８に記載する乳歯保管装置は、請求項４おける筐体が硬質のプラスチック材によってなり、かつ光透過性を具える。
【００１６】
請求項９に記載する乳歯保管装置は、請求項４における筐体が硬質のプラスチック材によってなり、かつ非透過性である。
【００１７】
請求項１０に記載する乳歯保管装置は、請求項２における収納空間に収納する物品がソフトワックスによってなる接着剤である。
【００１８】
請求項１１に記載する乳歯保管装置は、請求項２における収納空間に収納する物品がホットメルトによってなる接着剤である。
【００１９】
請求項１２に記載する乳歯保管装置は、請求項１における筐体の該蓋体の上面に、磁石を設けた透明板を設けるとともに、該蓋体には該透明板の該磁石に対応する位置に磁石を設け、該蓋体の上面と該透明板との間に識別データを挟んで磁力で吸引して該透明板を固定する。
【００２０】
請求項１３に記載する乳歯保管装置は、請求項４における筐本体内には、該下歯茎模型を設置して位置決めするために、凹溝状で、かつ該下歯茎模型の底面に沿った形状であって、該下歯茎模型の底面に比してやや面積の広い設置溝を形成して該下歯茎模型の底端部分を該設置溝１８に嵌設する。
【００２１】
請求項１４に記載する乳歯保管装置は、請求項２における収納空間が引き出し配設する空間である。
【００２２】
請求項１５に記載する乳歯保管装置は、請求項４における蓋体と該筐本体の正面側の一端には、上下対応する位置に、互いに吸引する磁石をそれぞれ埋設し、該蓋体が筐本体上に、該磁力の吸引によって止まるようにする
【図面の簡単な説明】
【００２３】
【図１】この考案による乳歯保管装置の分解図である。
【図２】他の角度から見たこの考案による乳歯保管装置の分解図である。
【図３】図１に開示する乳歯保管装置の断面図である。
【図４】図１に開示する乳歯保管装置の斜視図である。
【図５】図１に開示する乳歯保管装置の他の斜視図である。
【図６】図１に開示する乳歯保管装置の使用態様を示した説明図である。
【図７】図１に開示する乳歯保管装置の使用態様を示した他の説明図である。
【考案を実施するための形態】
【００２４】
この考案は、乳歯を歯茎上の位置に基づいて保管して、記念とすることのできるとともに、関連する情報を表示でき、また関連する情報を保管できる乳歯保管装置を提供するものであって、後端に設けた柔軟性を有する連結板を介して開閉自在に連結した上歯茎模型及び下歯茎模型と、筐本体と蓋体とを具え、該上歯茎模型及び下歯茎模型とを内部に設置する筐体と、によってなり、該上歯茎模型と該下歯茎模型に複数の植設孔を形成し、それぞれの該植設孔の位置に対応する人造乳歯を該植設孔に植設してなる。係る乳歯保管装置の特徴を説明するために、具体的な実施例を挙げ、図面を参照にして以下に詳述する。
【実施例】
【００２５】
この考案による乳歯保管装置１は、蓋体１３を具える筐体１０と、上歯茎模型２０と、下歯茎模型３０と、複数の人造乳歯８０、８１を含んでなる。
【００２６】
上歯茎模型２０は、下歯茎模型３０の上に設け、それぞれ乳歯に対応する複数の植設孔２１、２２、２３を形成する。また上歯茎模型２０と下歯茎模型３０とは後端に柔軟性を有する連結板１４を設けて連結して、上歯茎模型２０と下歯茎模型３０とを開閉自在に設ける。
【００２７】
筐体１０は、筐本体１１と蓋体１３とが背面側で開閉自在に連結して、開閉蓋を具える筐体を構成する。また、筐本体１１内には、適宜な位置に仕切り板１７を一体に形成し、仕切り板１７と筐本体１０の底面との間を収納空間１５とする。図１に開示するように、収納空間１５は引き出し１６を配設する空間であって、引き出し１６には、例えば乳歯の歯根に塗布する接着剤４０、子供の画像データを保管するＵＳＢメモリなどの記憶媒体４１などの関連する物品を収納する。
【００２８】
筐本体１１内には、下歯茎模型３０を設置して位置決めするために、凹溝状で、かつ下歯茎模型３０の底面に沿った形状であって、下歯茎模型３０の底面に比してやや面積の広い設置溝１８を形成して下歯茎模型３０の底端部分を設置溝１８に嵌設する。よって、下歯茎模型３０と上歯茎模型２０とは筐本体１１の設置溝１８の位置に設置される。この場合、上歯茎模型２０は、後端が連結板１４を介して下歯茎模型３０に連結し、筐本体１０とは直接接続しない。
【００２９】
筐体１０は硬質のプラスチック材によってなり、光透過性であっても、非光透過性であってもよい。筐体１０内に設置する上歯茎模型２０と下歯茎模型３０とは、ＰＵ、プラスチック、もしくはシリカゲルの内から選択する。
【００３０】
乳歯の歯根に塗布する接着剤４０は、ソフトワックス、ホットメルト、ＰＵ、もしくはシリカゲルから選択される。
【００３１】
複数の人造乳歯８０、８１は、複数の植設孔２１、２２、２３などの対応する孔に植設し、空の植設孔２１、２２、２３などに埃が溜まって汚れることを防ぐようにする。また、乳歯６０、６１に取り換える前に、装飾用として植設孔２１、２２、２３に補填しておく。
【００３２】
筐体１０の蓋体１３の上面には、透明板８２を設ける。また、透明板８２の周囲に磁石８３を設けるとともに、蓋体１３には透明板８２の磁石８３に対応する位置に磁石８４を設ける。磁石８３、８４は互いに吸引し、その作用は後述の第７図に係る説明において述べる。
【００３３】
蓋体１３と筐本体１１の正面側の一端には、上下対応する位置に、互いに吸引する磁石８５、８６をそれぞれ埋設し、蓋体１３が筐本体１１上に、また筐体１０に引き出し１６が磁力の吸引によって止まるようにする。
【００３４】
図３に開示するように、上歯茎模型２０と下歯茎模型３０とに形成した植設孔２１、２２、２３などの全ての植設孔には接着剤４０を充填して人造乳歯８０、８１、もしくは取り換えた図２に開示する乳歯６０、６１を対応する植設孔２１、３１に植設して、緊密に接着する。
【００３５】
保管する乳歯８０、８１は、例えば図５に開示するように、蓋体１３を開けた状態で、図６に開示するように上歯茎模型２０と下歯茎模型３０とを開けることができ、蓋体１３を閉じた状態は図７に開示するとおりである。
【００３６】
人造乳歯８０を保管する乳歯６０に取り換える場合は、筐体１０蓋体１３を開けると上歯茎模型２０の上面を露出させ、上歯茎模型２０と下歯茎模型３０とを開ける。次いで、取り換える対象の人造乳歯８０を抜いて、空になった植設孔２１に接着剤４０を充填させ、乳歯６０を植設して、緊密に接続する。乳歯６０、６１などは、それぞれ対応する位置の植設孔２１、３１などに逐一植設して緊密に接続する。次いで、上歯茎模型２０と下歯茎模型３０とを閉じて乳歯の植設、収集、整理を完成させる。
【００３７】
また、筐体１０にシールを貼って記入をしてもよい。即ち、筐体１０の内壁、もしくは外壁の適宜な位置に、収納する乳歯の持ち主である子供の名前、もしくは記念の標章が描かれたシール７０を貼着する。よって、どの子供の乳歯を収集したのか識別することができ、記念性が増す。
【００３８】
さらに、蓋体１３の上面の透明板８２を取り外し、識別データ９０を置いて、蓋体１３の上面と透明板８２との間に挟んでもよい。識別データ９０は、例えば収集する乳歯の持ち主の子供の写真、子供の描いた絵、もしくは出生の記録などであって、透明板８２は磁力で吸引されるため、識別データ９０が固定される。
【符号の説明】
【００３９】
１    乳歯保管装置
１０    筐体
１１    筐本体
１３    蓋体
１４    連結板
１５    収納空間
１６    引き出し
１７    仕切り版
１８    設置溝
２０    上歯茎模型
２１    植設孔
２２    植設孔
２３    植設孔
３０    下歯茎模型
３１    植設孔
４０    接着剤
４１    記憶媒体
６０    乳歯
６１    乳歯
７０    シール
８０    人造乳歯
８１    人造乳歯
８２    透明板
８３    磁石
８４    磁石
８５    磁石
８６    磁石
９０    識別データ
【図１】
0003199927.tif 000003
【図２】
0003199927.tif 000004
【図３】
0003199927.tif 000005
【図４】
0003199927.tif 000006
【図５】
0003199927.tif 000007
【図６】
0003199927.tif 000008
【図７】
0003199927.tif 000009